(57)【要約】【課題】  高画質映像出力端子から出力すべき映像出力の出力フォーマットを設定しても高画質映像出力端子に接続用コネクタが接続されていない場合に、Ｄ２以上の高画質映像を見ているか否かのユーザーの混乱を防ぐことができる映像信号処理装置を提供する。【解決手段】  検出回路２がＤ端子又はコンポーネント端子のような高画質映像出力端子に接続用コネクタが接続されていない旨の検出信号を出力する場合には、マイクロコンピュータ３は、メニュー機能又はスイッチ回路１の設定内容にかかわらず、ビデオデコーダ４に常にＤ１のフォーマットで映像信号を出力させるビデオデコーダ出力制御信号を出力すると共に、Ｄ２以上の設定を有効とするためには高画質映像出力端子をモニターＴＶに接続することが必要であることをユーザーにオンスクリーンディスプレー表示で知らせるＯＳＤ表示制御信号をＯＳＤ重畳回路５に出力する。【選択図】      図１
2005260796.tif 000002
【特許請求の範囲】
【請求項１】
映像信号をＤ１、Ｄ２、Ｄ３、Ｄ４等のフォーマットで出力可能なビデオデコーダと、映像出力端子から出力すべき前記映像信号の出力フォーマットをユーザーが設定することができるメニュー機能又はスイッチ回路と、前記映像出力端子のうち前記Ｄ２以上の前記映像信号用の高画質映像出力端子に接続用コネクタが接続されているか否かを検出する検出回路と、前記メニュー機能又は前記スイッチ回路における設定に基づいて前記ビデオデコーダからの前記出力フォーマットを制御するとともに、前記検出回路からの検出信号に基づいて前記接続用コネクタが接続されていないと判定する場合には、前記メニュー機能又は前記切換えスイッチ回路における前記設定にかかわらず前記ビデオデコーダからの前記出力フォーマットを常に前記Ｄ１に設定するマイクロコンピュータとを備え、前記マイクロコンピュータは、前記接続用コネクタが接続されていないと判定するときに、前記高画質映像出力端子をモニターＴＶに接続する必要がある旨の表示をオンスクリーンディスプレーで行うことを特徴とする映像信号処理装置。
【請求項２】
前記高画質映像出力端子はＤ端子であることを特徴とする請求項１に記載の映像信号処理装置。
【請求項３】
前記高画質映像出力端子はコンポーネント端子であることを特徴とする請求項１に記載の映像信号処理装置。
【発明の詳細な説明】
【技術分野】
【０００１】
この発明は、映像出力端子としてのコンポジット端子やＳ端子に加え、Ｄ端子やコンポーネント端子を備えた、ＤＶＤプレイヤー、ＤＶＤレコーダ、ハードディスクレコーダ、ＢＳデジタルハイビジョンチューナ等の映像信号処理装置に関する。
【背景技術】
【０００２】
従来、テレビジョンや記録媒体を扱う映像機器においては、走査線５２５本インターレス方式（５２５Ｉ）の映像信号を扱うコンポジット出力端子やＳ出力端子を、ＣＲＴや液晶モニター等の受像機の入力端子に接続することが一般的であったが、最近の映像機器においては、映像の高画質化のため、従来の走査線５２５本インターレス方式（５２５Ｉ）とは異なる映像のプログレッシブ化（例えば５２５Ｐ）や走査周波数のアップが図られている。これらの技術は、コンポーネント映像信号により実現されるが、受像機との接続には、Ｄ端子又はコンポーネント映像端子が用いられる。受像機側では、Ｄ１（５２５Ｉ）、Ｄ２（５２５Ｉ、５２５Ｐ）、Ｄ３（５２５Ｉ、５２５Ｐ、１１２５Ｉ）、Ｄ４（５２５Ｉ、５２５Ｐ、１１２５Ｉ、７５０Ｐ）のように、Ｄ端子入力でどの映像フォーマットにまで対応するかは受像機により異なっており、コンポーネント端子入力についても同様である。受像機に接続する映像機器においては、使用する受像機の対応する映像フォーマットに合わせてユーザーが設定することができるメニュー機能又は切換えスイッチを操作して、映像機器から出力する映像フォーマットを設定することが一般的である。
【０００３】
映像機器のシステムによっては、出力する映像フォーマットの設定を従来のＤ１（５２５Ｉ）ではなく５２５Ｐ以上（Ｄ２以上）の設定にし、Ｄ端子出力又はコンポーネント端子出力として５２５Ｐ以上（Ｄ２以上）以上の映像信号を出力したときには、コンポジット端子出力やＳ端子出力に５２５Ｉの映像信号を出力できないものもある。即ち、コンポジット端子入力やＳ端子入力しかもたない受像機を使用するユーザーが、誤って、受像機に接続する映像機器の出力映像フォーマットを５２５Ｐ以上（Ｄ２以上）に設定した場合に、映像機器のコンポジット端子出力やＳ端子出力に映像信号が出力されなくなり、ユーザーに混乱を与えることがあった。
【０００４】
上記の誤接続に基づく混乱を解決するために、映像出力端子としてのＤ端子出力又はコンポーネント端子出力に接続用コネクタが接続されているか否かを検出する検出回路を備える映像機器において、検出回路がＤ端子出力又はコンポーネント端子出力に接続用コネクタが接続されていないとの検出信号を出力する場合には、メニュー機能又は切換えスイッチの設定内容にかかわらず、ビデオデコーダは常にＤ１のフォーマットで映像信号を出力するという制御を行うことが考えられる。こうした制御により、使用しているモニターＴＶ対して誤った設定となることが回避できる。しかしながら、こうした対策では、ユーザーによる５２５Ｐ以上の設定が無効となったことがユーザー自身に対して知らされず、ユーザーに、映像機器と受像機とが従来のコンポジット端子やＳ端子による接続のままでありながら５２５Ｐ以上の規格による高画質映像を見ることができているとの誤解を与える場合があった。
【０００５】
Ｄ端子に接続されたデジタル放送信号アダプタからの制御信号又は制御ケーブルに異常があった場合の、切換え及び告知する公知技術としては、特開平２００２−１３５６８０号公報に記載されている映像表示装置が知られている。この映像表示装置によれば、Ｄ端子にデジタル放送受信アダプタからの信号が接続され、映像表示装置を同Ｄ端子に入力される映像信号に基づき表示するように切り換えたとき、同Ｄ端子に入力されたコンポーネント輝度信号をアスペクト比検出部に入力してアスペクト比の検出を行い、判定部で二つのアスペクト比を比較し、不一致の場合に、告知部により、Ｄ端子に接続された信号（信号源又は接続ケーブル）に異常ありを告知するようにしている。
【特許文献１】特開２００２−１３５６８０号公報（段落［００１１］、図１）
【発明の開示】
【発明が解決しようとする課題】
【０００６】
そこで、ビデオデコーダの映像出力端子から出力すべき映像信号の出力フォーマットをＤ２以上の高画質映像出力のフォーマットに設定しながら、高画質映像出力端子にモニターＴＶとの接続用コネクタを接続し忘れたときに、モニターＴＶには接続されているコンポジット端子やＳ端子を通じてＤ１の映像を出力するが、ユーザーに注意を促すため接続用コネクタの接続状態について知らせる点で解決すべき課題がある。
【０００７】
この発明の目的は、高画質映像出力端子から出力すべき映像出力の出力フォーマットを設定しても、ビデオデコーダの高画質映像出力端子に接続用コネクタが接続されておらず、受像機との間で従来のコンポジット端子やＳ端子による接続のままである場合に、Ｄ２以上の規格による高画質映像を見ることができているとの誤解をユーザーに与えることを防ぐことができる映像信号処理装置を提供することである。
【課題を解決するための手段】
【０００８】
上記の課題を解決するため、この発明による映像信号処理装置は、映像信号をＤ１、Ｄ２、Ｄ３、Ｄ４等のフォーマットで出力可能なビデオデコーダと、映像出力端子から出力すべき前記映像信号の出力フォーマットをユーザーが設定することができるメニュー機能又はスイッチ回路と、前記映像出力端子のうち前記Ｄ２以上の前記映像信号用の高画質映像出力端子に接続用コネクタが接続されているか否かを検出する検出回路と、前記メニュー機能又は前記スイッチ回路における設定に基づいて前記ビデオデコーダからの前記出力フォーマットを制御するとともに、前記検出回路からの検出信号に基づいて前記接続用コネクタが接続されていないと判定する場合には、前記メニュー機能又は前記切換えスイッチ回路における前記設定にかかわらず前記ビデオデコーダからの前記出力フォーマットを常に前記Ｄ１に設定するマイクロコンピュータとを備え、前記マイクロコンピュータは、前記接続用コネクタが接続されていないと判定するときに、前記高画質映像出力端子をモニターＴＶに接続する必要がある旨の表示をオンスクリーンディスプレーで行うことを特徴としている。
【０００９】
この映像信号処理装置によれば、ユーザーは、メニュー機能又はスイッチ回路を用いて、ビデオデコーダの映像出力端子から出力すべき映像信号の出力フォーマットを設定することができる。マイクロコンピュータは、メニュー機能又はスイッチ回路におけるユーザー設定に基づいて、ビデオデコーダが出力すべき映像信号についてのＤ１、Ｄ２、Ｄ３、Ｄ４等の出力フォーマットを制御する。検出回路は、映像出力端子のうちＤ２以上の高画質映像信号を出力するための高画質映像出力端子に接続用コネクタが接続されている状態を検出する。接続用コネクタが接続されていないとの検出信号が検出回路から出力される場合には、マイクロコンピュータは、接続用コネクタの接続なしを判定し、メニュー機能又はスイッチ回路における設定にかかわらずビデオデコーダからの出力フォーマットを常にＤ１に設定するとともに、高画質映像出力にてモニターＴＶに接続を行うことが必要である旨の表示をオンスクリーンディスプレーで行う。その時、ビデオデコーダの高画質映像出力端子に接続用コネクタが接続されていなくても、コンポジット端子やＳ端子を通してＤ１の出力フォーマットによって映像をモニターＴＶに映し出される。
同時に、高画質映像出力にてモニターＴＶに接続を行うことが必要である旨の表示がオンスクリーンディスプレーで示されるので、ユーザーは、この表示を見ることでビデオデコーダの高画質映像出力端子からモニターＴＶに接続されていないことを知ることができる。
【００１０】
この映像信号処理装置において、前記高画質映像出力端子はＤ端子であるとすることができる。また、この映像信号処理装置において、前記高画質映像出力端子はコンポーネント端子であるとすることができる。高画質映像出力端子としては、Ｄ１、Ｄ２、Ｄ３、Ｄ４のようなＤ端子映像を出力するＤ端子とすることができ、また、ＹＣＢ  ＣＲ  又はＹＰＢ  ＰＲ  のようなコンポーネント端子とすることができる。いずれの場合も、検出回路が高画質映像出力端子としてのＤ端子又はコンポーネント端子出力に接続用コネクタが接続されているか否かの検出信号を出力し、Ｄ端子又はコンポーネント端子出力に接続用コネクタが接続されていないと検出信号である場合には、マイクロコンピュータは、ビデオデコーダから映像信号のフォーマットを常にＤ１の出力フォーマットに設定する制御を行うとともに、ユーザーにＤ端子又はコンポーネント端子にてモニターＴＶとの接続を行うことが必要であることをオンスクリーンディスプレーによって知らしめる。
【発明の効果】
【００１１】
本発明によれば、上記のように構成されているので、ビデオデコーダのＤ端子又はコンポーネント端子のような高画質映像出力端子に接続用コネクタが接続されているか否かの検出信号を検出回路から出力し、検出信号が接続用コネクタが接続されていないとの信号である場合には、マイクロコンピュータによって、ユーザーによるビデオデコーダから出力される映像信号の出力フォーマットの設定内容にかかわらず、常にＤ１（５２５Ｉ）の出力フォーマットにて映像信号が出力されると共に、高画質映像出力端子からモニターＴＶに接続を行うことが必要である旨がオンスクリーンディスプレーによりユーザーに知らされる。その結果、入力端子としてコンポジット端子やＳ端子しか持たない受像機を使用するユーザーが誤って、受像機に接続すべきビデオデコーダの出力フォーマットを５２５Ｐ以上（Ｄ２以上）に設定してしまった場合でも、ビデオデコーダのコンポジット端子出力やＳ端子出力にＤ１の出力フォーマットにて映像信号が出力され、まったく映像信号が出力されなくなることを防ぐことができる。更に、Ｄ２以上の映像出力フォーマットで映像を見るためには、ビデオデコーダのＤ端子又はコンポーネント端子のような高画質映像出力端子をモニターＴＶに接続することが必要である旨をオンスクリーンディスプレーにて知らせるので、高画質映像出力端子で接続したとの思い込みや、設定とは異なる状態で接続されているかもしれないという不安などの混乱をユーザーに与えることを防ぐことができる。
【発明を実施するための最良の形態】
【００１２】
以下、添付した図面に基づいて、この発明による映像信号処理装置の実施例を説明する。図１は本発明による映像信号処理装置の一実施例を示すブロック図、図２は映像信号処理装置におけるマイクロコンピュータの制御フローを示すフローチャートである。図３はビデオデコーダのＤ端子への接続コネクタによる接続状況を示す図、図４はビデオデコーダのコンポーネント端子への接続コネクタによる接続状況を示す図である。本発明の一実施例を図１〜図４にもとづいて説明すると、以下の通りである。
【００１３】
図１に示す映像信号処理装置によれば、ユーザーは、メニュー機能又はスイッチ回路１において、表示されたユーザー設定メニューの選択又はスイッチの切換操作により、ビデオデコーダが出力すべき映像信号の出力フォーマットをＤ１、Ｄ２、Ｄ３、Ｄ４等のいずれかのフォーマットに設定する。設定された出力フォーマットについての情報は、マイクロコンピュータ３に送られる。映像信号処理装置には、ビデオデコーダの高画質映像出力端子であるＤ端子又はコンポーネント端子に受像機に繋がる接続コネクタが接続されているか否かを検出する検出回路２が設けられている。マイクロコンピュータ３は、高画質映像出力端子に接続コネクタが接続されているか否かの検出情報を検出回路２から得る。
【００１４】
高画質映像出力端子がＤ端子である場合に、接続コネクタがビデオデコーダのＤ端子に接続される様子の一例が図３に示されている。図３に示すように、ビデオデコーダ４のＤ端子１０に接続コネクタ１１を接続するとき、Ｄ端子１０の第１４ピン（スイッチライン）と第１２ピン（アース）がショートされるように規格で定められており、ショートした状態で生じるＶｃｃからの電圧降下を利用して、接続コネクタ１１が接続されているか否かを検出する検出回路２ａが構成されている。
【００１５】
高画質映像出力端子がコンポーネント端子である場合に、接続コネクタがビデオデコーダのコンポーネント端子に接続される様子の一例が図４に示されている。図４に示すように、ビデオデコーダ４のコンポーネント端子１２は、接続コネクタ１３が接続されるとスイッチが作動するスイッチ付き端子に構成されており、このこと自体は良く知られている。このような構造により、接続コネクタ１３の接続を検出可能にする検出回路２ｂが構成されている。
【００１６】
マイクロコンピュータ３は、メニュー機能又はスイッチ回路１からの出力フォーマットの設定情報と検出回路２による接続コネクタの接続情報との二つの情報に基づいて、ビデオデコーダ４に対しては映像信号の出力フォーマットを制御するためのビデオデコーダ制御信号を出力し、オンスクリーンディスプレー（以下、「ＯＳＤ」と略す）重畳回路５に対してはＯＳＤ表示制御信号を出力する。
【００１７】
ビデオデコーダ４は、入力された映像デジタルデータをマイクロコンピュータ３からのビデオデコーダ制御信号に従い、ＹＰＢ  ／ＣＢ  ＰＲ  ／ＣＲ  出力、ＹＣ出力として出力する。ＯＳＤ重畳回路５は、マイクロコンピュータ３からのＯＳＤ表示制御信号に従い、ＯＳＤ表示が必要な場合には、ＹＣ出力にＯＳＤ表示を重畳する。アナログ信号処理回路６は、ビデオデコーダ４からのＹＰＢ  ／ＣＢ  ＰＲ  ／ＣＲ  出力及びＯＳＤ重畳回路５からの信号の入力を受けて、ノイズ除去のローパスフィルタや、ＹＣミックス回路、出力ドライバー回路等（図示せず）を介して、Ｄ端子／コンポーネント端子出力、Ｓ端子出力、コンポジット端子出力より映像信号を出力する。
【００１８】
次に、図２のフローチャートに基づいて図１に示すマイクロコンピュータ３のビデオデコーダ制御につき説明する。まず、メニュー機能又はスイッチ回路１におけるユーザー設定又はスイッチ選択により設定された映像信号の出力フォーマットの設定情報がマイクロコンピュータ３に入力される（ステップＳ１）。マイクロコンピュータ３は、検出回路２からの検出情報に基づいて、高画質映像出力端子であるＤ端子１０又はコンポーネント端子１２に接続コネクタ１１又は１３が接続されているか否かを判定する（ステップＳ２）。マイクロコンピュータ３は、Ｄ端子１０又はコンポーネント端子１２に接続コネクタ１１又は１３が接続されていると判定した場合には、ステップＳ１にて設定された出力フォーマットに従ってデコーダ出力を制御する（ステップＳ３）。また、ビデオデコーダ４は、ステップＳ１にて設定された出力フォーマットに従い映像信号を出力し（ステップＳ４）、映像信号処理を終了する。
【００１９】
ステップＳ２での判定において、高画質映像出力端子であるＤ端子１０又はコンポーネント端子１２に接続コネクタ１１又は１３が接続されていないとマイクロコンピュータ３が判定した場合には、マイクロコンピュータ３は、ステップＳ１において入力される設定情報にかかわらず、ビデオデコーダ出力のフォーマットを常にＤ１（５２５Ｉ）に設定する制御を行う（ステップＳ５）。この制御を受けて、ビデオデコーダ４は、常にＤ１（５２５Ｉ）の出力フォーマットで映像信号を出力する（ステップＳ６）。更に、ビデオデコーダ４がＤ２以上の高画質な出力フォーマットで映像信号を出力するためには、Ｄ端子１０又はコンポーネント端子１２をモニターＴＶと接続させることが必要であることを知らしめるＯＳＤ表示をＹＣ出力に重畳し（ステップＳ７）、映像信号処理を終了する。
【産業上の利用可能性】
【００２０】
この発明である映像信号処理装置について実施例を挙げて説明したが、映像機器としては、ＤＶＤプレイヤー、ＤＶＤレコーダ、ハードディスクレコーダ、ＢＳデジタルハイビジョンチューナ、各種ディスクドライブ又はハードディスドライブを備えたパーソナルコンピュータ等のデジタル映像機器に適用可能であることは明らかである。
【図面の簡単な説明】
【００２１】
【図１】本発明による映像信号処理装置の一実施例を示すブロック図。
【図２】図１に示すマイクロコンピュータのビデオデコーダ制御の動作を説明するためのフローチャート。
【図３】Ｄ端子接続コネクタ検出回路。
【図４】コンポーネント端子接続コネクタ検出回路の一実施例。
【符号の説明】
【００２２】
１  メニュー機能又はスイッチ回路
２，２ａ，２ｂ  検出回路
３  マイクロコンピュータ（ビデオデコーダ出力制御）
４  ビデオデコーダ
５  ＯＳＤ重畳回路
６  アナログ信号処理回路
１０  Ｄ端子
１１  接続コネクタ（Ｄ端子用）
１２  コンポーネント端子
１３  接続コネクタ（コンポーネント端子用）
【図１】
2005260796.tif 000003
【図２】
2005260796.tif 000004
【図３】
2005260796.tif 000005
【図４】
2005260796.tif 000006